(57)【要約】 【課題】  連通方向へのルームの増減をより柔軟に行なうことができ、また、ルームの高さ方向への積層も容易に行なうことができるペットホテル用集合ケージユニットを提供する。【解決手段】  ケージセル３を壁部を介した連接方向において各々独立かつ分離可能に構成し、副壁部の予め定められたものが、当該副壁部側にてケージセル３を連接配置したとき、それらケージセル３対のペット滞在空間同士をペットの通行が可能な状態で連結する連結開口部２７と、当該連結開口部２７に対し着脱可能に設けられ、該連結開口部２７を閉塞する着脱壁部２９とを有した空間連結機能付き壁部とする。空間連結機能付き壁部にて連接配置された１対のケージセル３の、各空間連結機能付き壁部の双方から着脱壁部２９を取り外すことにより、それらケージセル３のペット滞在空間同士を連結する。【選択図】    図６
2007075025.tif 000002
【特許請求の範囲】
【請求項１】
床面部、天井部及び複数の壁部にて取り囲まれた単一のペット滞在空間を有し、該ペット滞在空間へのペット出し入れ口が形成される壁部を正面壁部、残余の壁部を副壁部として、該正面壁部に前記ペット出し入れ口を開閉可能に封鎖する主扉が形成された複数のケージセルが前記副壁部側にて互いに連接配置され、
前記ケージセルは前記壁部を介した連接方向において各々独立かつ分離可能に構成され、かつ、前記副壁部の予め定められたものが、当該副壁部側にてケージセルを連接配置したとき、それらケージセル対のペット滞在空間同士を前記ペットの通行が可能な状態で連結する連結開口部と、当該連結開口部に対し着脱可能に設けられ、該連結開口部を閉塞する着脱壁部とを有した空間連結機能付き壁部とされ、
前記空間連結機能付き壁部にて連接配置された１対のケージセルの、各空間連結機能付き壁部の双方から前記着脱壁部を取り外すことにより、それらケージセルのペット滞在空間同士を連結するようにしたことを特徴とするペットホテル用集合ケージユニット。
【請求項２】
前記着脱壁部は、前記連結開口部に対し壁面と交差する向きに着脱される請求項１記載のペットホテル用集合ケージユニット。
【請求項３】
前記ケージセルが高さ方向にも複数積層配置される請求項２記載のペットホテル用集合ケージユニット。
【請求項４】
前記空間連結機能付き壁部は、前記連結開口部の周縁をなすケージ側壁部枠体を有し、
前記着脱壁部は、前記連結開口部を封鎖する壁部本体と、該壁部本体の周縁部に形成された着脱壁部側係合部とを有し、
前記ケージ側壁部枠体には、前記着脱壁部側係合部が前記ペット滞在空間側から着脱可能に係合するとともに、壁部本体がケージ外部空間側に脱落することを阻止するケージ側係合部が形成されてなる請求項２又は請求項３に記載のペットホテル用集合ケージユニット。
【請求項５】
前記壁部本体の外側壁面には、前記連結開口部に嵌合する位置決め嵌合凸部が形成されてなる請求項４記載のペットホテル用集合ケージユニット。
【請求項６】
前記ケージ側壁部枠体には、前記連結開口部の周縁に沿って前記ペット滞在空間側に突出する着脱壁部支持用凸部が形成され、前記ケージ側係合部は、前記着脱壁部支持用凸部の前記連結開口部の周縁側に位置する側面に開口した係合孔であり、前記着脱壁部側係合部は、前記壁部本体の周縁から壁面に沿って外向きに延出するとともに、前記係合孔に挿入される係合爪である請求項４又は請求項５に記載のペットホテル用集合ケージユニット。
【請求項７】
前記壁部本体は弾性板材で形成され、
前記係合爪と前記着脱壁部支持用凸部及び前記係合孔とが前記連結開口部の幅方向両側に突出形成され、前記壁部本体の幅方向片側に位置する前記係合爪を対応する側の前記係合孔に挿入し、その後、前記壁部本体を前記幅方向に撓み変形させつつ反対側の前記係合爪を、対応する側の前記係合孔に位置決め・挿入するようにした請求項６記載のペットホテル用集合ケージユニット。
【請求項８】
前記ペット滞在空間内部の空気を吸い出すために前記ケージセルに空気吸出し口が形成され、該空気吸出し口には換気用配管の第一端が連通し、当該換気用配管の第二端に、該換気用配管から前記空気吸出し口を経て前記ペット滞在空間に吸出し方向の換気流を生じさせる換気駆動部が設けられている請求項１ないし請求項７のいずれか１項に記載のペットホテル用集合ケージユニット。
【請求項９】
前記空気吸出し口が前記天井部に設けられ、かつ、前記換気駆動部が動作した際に前記ペット滞在空間内部にケージ外空間から空気を吸い込むための吸い込み換気口が形成されてなる請求項８記載のペットホテル用集合ケージユニット。
【請求項１０】
前記ケージセルの天井部上面には、前記空気吸出し口の上方を覆う配管ターミナル部が取り付けられ、該配管ターミナル部に前記換気用配管の第一端側をなす配管セグメントが前記天井部上面に沿って配置される形で連通結合されてなる請求項９記載のペットホテル用集合ケージユニット。
【請求項１１】
前記ケージセルが直方体状に形成され、かつ、前記正面壁部の左右に連なる１対の壁部を側壁部として、それら側壁部の双方が前記空間連結機能付き壁部とされてなる請求項１ないし請求項１０のいずれか１項に記載のペットホテル用集合ケージユニット。
【請求項１２】
前記ペット滞在空間に関して前記正面壁部と反対側に位置する背面壁部に前記吸い込み換気口が形成されてなる請求項１１記載のペットホテル用集合ケージユニット。
【請求項１３】
前記ケージセルは、前記ペット滞在空間に関して前記正面壁部と反対側に位置する背面壁部が前記空間連結機能付き壁部とされてなる請求項１ないし請求項１０のいずれか１項に記載のペットホテル用集合ケージユニット。
【請求項１４】
前記正面壁部の向きを一致させた形で一定数の複数の前記ケージセルが高さ方向に積層・一体化されてサブユニットが形成され、該サブユニットを単位として前記ケージセルが連接配置されるようになっている請求項１ないし請求項１３のいずれか１項に記載のペットホテル用集合ケージユニット。
【請求項１５】
請求項１０記載の要件を備え、前記サブユニットにおいて、上下に積層されたケージセルの間に、それらケージセルの上下に対向する床面部及び天井部の周縁に沿う形でスペーサフレームが配置され、前記配管ターミナル部と前記配管セグメントとが該スペーサフレームの内側に配置されるとともに、前記配管セグメントの前記配管ターミナル部に連通しているのと反対側の端部が、前記スペーサフレームを貫通して前記ケージセルの壁部外側に突出して、換気用配管の残余部分の接続端を形成してなる請求項１４記載のペットホテル用集合ケージユニット。
【請求項１６】
請求項１１又は請求項１２に記載の要件を備え、前記配管セグメントは前記スペーサフレームを、前記背面壁部側にて貫通・突出してなる請求項１５記載のペットホテル用集合ケージユニット。
【請求項１７】
請求項１ないし請求項１６のいずれか１項に記載のペットホテル用集合ケージユニットに使用され、
床面部、天井部及び複数の壁部にて取り囲まれた単一のペット滞在空間を有し、該ペット滞在空間へのペット出し入れ口が形成される壁部を正面壁部、残余の壁部を副壁部として、該正面壁部に前記ペット出し入れ口を開閉可能に封鎖する主扉が形成され、前記副壁部の予め定められたものが、前記連結開口部と、当該連結開口部に対し着脱可能に設けられ、該連結開口部を閉塞する着脱壁部とを有した空間連結機能付き壁部とされてなることを特徴とするケージセル。
【請求項１８】
請求項１４に記載のペットホテル用集合ケージユニットに使用され、
請求項１７に記載のケージセルを、正面壁部の向きを一致させた形で一定数の複数個、高さ方向に積層・一体化してなることを特徴とするサブユニット。
【発明の詳細な説明】
【技術分野】
【０００１】
この発明は、ペットホテル用集合ケージユニットと、それに使用するケージセル及びサブユニットに関する。
【背景技術】
【０００２】
【特許文献１】特開２００４−９７１０５号公報
【０００３】
近年、犬や猫などのペットの飼い主が旅行等のために不在となる場合に、ペットを一時的に預かる形で滞在させる、いわゆるペットホテルが盛んに利用されている。こうしたペットホテルでは、ペットをケージに入れた形で滞在させる形成のものが多い。この場合、使用されるケージは、一律に形状・大きさが定められたものを画一的に使用するか、精々、ペットの大きさに合わせてケージサイズを変えている程度である。ペットホテル側では、このケージを「個室」と称しているが、ケージのサイズは概ね限られており、ペットの側から見れば「牢獄」に近い不自由な環境を強いられることも多い（と、少なくとも飼い主は考えている）。そこで、最近では、ペットがより快適に滞在できるよう、ケージ（部屋）のグレードも飼い主に応じて様々なレベルのものが要望されるようになってきている。こうした要望にこたえるため、特許文献１には、隣接する複数のペットルームを一体のユニットとし、そのユニット内にてルーム間の仕切り壁を上方に引き抜いて取り払うことにより、より広いルーム空間を画成できるようにしたペット用集合ハウスが開示されている。
【発明の開示】
【発明が解決しようとする課題】
【０００４】
しかし、上記従来のペット用集合ハウスには以下のような欠点がある。
（１）仕切り壁の取り外しにより互いに連通させたい最大のルーム数を、ユニットとして予め一体不可分に構成しておく必要があり、連通方向へのルームの増減は、そのユニットに含まれるルーム数を単位とする形でしか行なえないので、融通性に欠ける。
（２）仕切り壁を上方にスライドさせて取り除く形態なので、ルームを高さ方向に積層できず、ペットホテルの床面積を有効利用できない。
【０００５】
本発明の課題は、連通方向へのルームの増減をより柔軟に行なうことができ、また、ルームの高さ方向への積層も容易に行なうことができるペットホテル用集合ケージユニットと、それに使用するケージセル（並びにサブユニット）を提供することにある。
【課題を解決するための手段及び発明の効果】
【０００６】
上記の課題を解決するために、本発明のペットホテル用集合ケージユニットは、
床面部、天井部及び複数の壁部にて取り囲まれた単一のペット滞在空間を有し、該ペット滞在空間へのペット出し入れ口が形成される壁部を正面壁部、残余の壁部を副壁部として、該正面壁部にペット出し入れ口を開閉可能に封鎖する主扉が形成された複数のケージセルが副壁部側にて互いに連接配置され、
ケージセルは壁部を介した連接方向において各々独立かつ分離可能に構成され、かつ、副壁部の予め定められたものが、当該副壁部側にてケージセルを連接配置したとき、それらケージセル対のペット滞在空間同士をペットの通行が可能な状態で連結する連結開口部と、当該連結開口部に対し着脱可能に設けられ、該連結開口部を閉塞する着脱壁部とを有した空間連結機能付き壁部とされ、
空間連結機能付き壁部にて連接配置された１対のケージセルの、各空間連結機能付き壁部の双方から着脱壁部を取り外すことにより、それらケージセルのペット滞在空間同士を連結するようにした。
【０００７】
また、本発明のケージセルは、上記本発明のペットホテル用集合ケージユニットに使用され、
床面部、天井部及び複数の壁部にて取り囲まれた単一のペット滞在空間を有し、該ペット滞在空間へのペット出し入れ口が形成される壁部を正面壁部、残余の壁部を副壁部として、該正面壁部に前記ペット出し入れ口を開閉可能に封鎖する主扉が形成され、副壁部の予め定められたものが、連結開口部と、当該連結開口部に対し着脱可能に設けられ、該連結開口部を閉塞する着脱壁部とを有した空間連結機能付き壁部とされてなることを特徴とする。
【０００８】
上記本発明によると、単一のペット滞在空間を区画するケージセルの壁部自体に、連結開口部と着脱壁部とを設けたので、ペット滞在空間（つまり、ルーム）を１個単位で自由に増減することができ、ケージセルの集合からなるペットホテルの設計規模を柔軟に設定できる。また、ケージの増設もきめ細かく行なうことができる。
【０００９】
着脱壁部は、連結開口部に対し壁面と交差する向きに着脱されるものとして構成できる。この構成によると、取り外し時に着脱壁部が上方にスライドしないので、ケージセルの上方に空間的余裕がない場合も着脱壁部の取り外しや装着を問題なく実行できる。その結果、ケージセルが高さ方向にも複数積層配置される構造も問題なく実現できる。
【発明を実施するための最良の形態】
【００１０】
以下、本発明の実施の形態を、図面を用いて説明する。
図３及び図４は、本発明のペットホテル用集合ケージユニットの構築に使用されるケージセルの一例を示すものである。図３は、正面図、背面図及び右側面図を示すものである（左側面図側の構成は、左右が反転するだけで右側面図側の構成と全く同じである）。また、図４は、斜視図を示す。ケージセル３は、床面部３Ｆ、天井部３Ｃ及び複数の壁部にて取り囲まれた単一のペット滞在空間４を有し、該ペット滞在空間４へのペット出し入れ口３Ｐが形成される壁部を正面壁部、残余の壁部を副壁部として、該正面壁部にペット出し入れ口３Ｐを開閉可能に封鎖する主扉７が形成されている。図４に示すごとく、主扉７は、枠状の構造を有し、その開口１１にはペット滞在空間４内のペットを透視するための窓ガラス１３（透明アクリル板でもよい）がはめ込まれている。このような構造の主扉７が、扉旋回軸部３５（蝶番でも代用できる）により、ペット出し入れ口３の幅方向の第一縁側にて、ケージセル３の本体に取り付けられている。床面部３Ｆ、天井部３Ｃ及び壁部（着脱壁部２９を除く）は、いずれもステンレス鋼等からなる板金により形成されている。
【００１１】
また、上記幅方向の第二縁側にて主扉７には、扉ロック片４６と開閉ハンドル９とがハンドル軸４５に対し、一体回転可能に取り付けられている。開閉ハンドル９を開位置に回動かさせると、扉ロック片４６は、ロック孔４３に対し出入り可能な非ロック位置となり、開閉ハンドル９を手前に引くことで主扉７を開くことができる。また、扉ロック片４６を非ロック位置とした状態で主扉７を閉じると扉ロック片４６がロック孔４３内に入る。そして、その状態で開閉ハンドル９を閉位置に回動すると、扉ロック片４６がロック孔４３の開口内縁に内側から係合し、主扉７がロックされる。
【００１２】
また、ペット出し入れ口３の下側の一部を覆う形で、当該ペット出し入れ口３の幅方向にまたがるペット落下防護部材１１が装着されている。例えは、高所に積層されたケージセル３の主扉７を開いた際に、内部のペット（特に、犬や子猫など）が誤って落下する事故を防止することができる。図５に示すように、ペット落下防護部材１１はペット出し入れ口３に対し着脱可能に設けられている。ペット滞在空間内に食事やトイレなどの備品を出し入れする際は、このペット落下防護部材１１を取り外しておくと作業がやりやすい。本実施形態ではペット落下防護部材１１は金属線材によりグリル状に形成され、ペット出し入れ口３を形成する支柱枠の内側面に取り付けられた支持ガイド部３７（２枚のガイド板３７ａ，３７ｂからなる）の溝状の隙間に、幅方向両縁下部が保持される形で、上方からスライド装着されるようになっている。
【００１３】
図１０あるいは図１３に示すごとく、このようなケージセル３を、副壁部側にて互いに連接配置することで、所望の大きさのペットホテル用集合ケージユニットを構築できる。ケージセル３は壁部を介した連接方向において各々独立かつ分離可能に構成されている。また、副壁部の予め定められたもの（ここでは後述のごとく、両側壁部）が、図１１に示すごとく、当該副壁部側にてケージセル３を連接配置したとき、それらケージセル３の対のペット滞在空間４（４ａ，４ｂ）同士を、ペットＡＭの通行が可能な状態で連結する連結開口部２７と、当該連結開口部２７に対し着脱可能に設けられ、該連結開口部２７を閉塞する着脱壁部２９とを有した空間連結機能付き壁部とされている。図１０に示すごとく、空間連結機能付き壁部にて連接配置された１対のケージセル３，３の、各空間連結機能付き壁部の双方から着脱壁部２９，２９を取り外すことにより、それらケージセル３，３のペット滞在空間４ａ，４ｂ同士を連結することができる。
【００１４】
このように、単一のペット滞在空間４を区画するケージセル３の壁部自体に、連結開口部２７と着脱壁部２９とを設けたので、ケージセル３の連接方向において、ペット滞在空間４（つまり、ルーム）を１個単位で自由に増減することができ、ケージセル３の集合からなるペットＡＭホテルの設計規模を柔軟に設定できる。また、ケージセル３の増設もきめ細かく行なうことができる。
【００１５】
図２に示すケージセル３を、図１０に示すごとく１個ずつ独立に構成し、ケージセル３の１個を単位として、ペットホテル用集合ケージユニットを構築することも可能であるが、本実施形態では、図１（正面図）及び図２（背面図）に示すごとく、正面壁部の向きを一致させた形で一定数の複数（具体的には３個）のケージセル３が高さ方向に積層・一体化されてサブユニット１を形成し、該サブユニット１を単位としてケージセル３が連接配置されるようにしている。これにより、立体型のケージ型ホテル構造を極めて容易に実現できる。図１３は、このサブユニット１を横方向に３個連接配置した使用例である。このように、高さ方向に複数のケージセル３を積層してサブユニットを構成する場合は、そのサブユニットに含まれるケージセル３の個数（３個）がペット滞在空間の増減単位となるが、連接方向に着目すればペット滞在空間が１個単位で増減できることは明らかである。
【００１６】
着脱壁部２９は、連結開口部２７に対し壁面と交差する向きに着脱されるものとして構成されている。取り外し時に着脱壁部２９が上方にスライドしないので、ケージセル３の上方に空間的余裕がない場合も着脱壁部２９の取り外しや装着を問題なく実行できる。その結果、ケージセル３が高さ方向にも複数積層配置される構造も問題なく実現できる。ただし、ケージセル３を高さ方向に積層しない場合は、特許文献１のごとく、着脱壁部の着脱を、上下方向のスライドにより行なってもよい。
【００１７】
図６に示すように、空間連結機能付き壁部は、連結開口部２７の周縁をなすケージ側壁部枠体２３を有する。着脱壁部２９は、連結開口部２７を封鎖する壁部本体と、該壁部本体の周縁部に形成された着脱壁部側係合部とを有するものとして構成されている。ケージ側壁部枠体２３には、着脱壁部側係合部がペット滞在空間４側から着脱可能に係合するとともに、壁部本体がケージ外空間側に脱落することを阻止するケージ側係合部が形成された構造になっている。この構成によると、ペット滞在空間４内のペットＡＭが着脱壁部２９に圧迫を加えた場合、着脱壁部２９が外側に脱落してしまう不具合が本質的に生じにくくなる。特に、落下衝撃に弱い小形犬や、高層に積層されたケージ内のペットＡＭの保護には効果的である。また、着脱壁部２９の壁部本体の外側壁面には、連結開口部２７に嵌合する位置決め嵌合凸部４７が形成されている。これにより、着脱壁部２９の装着時に、該着脱壁部２９を連結開口部２７に容易に位置決めすることができる。嵌合凸部４７は、面状の突出体として形成されているが、連結開口部２７の内周縁に沿うリブ状に形成してもよい。
【００１８】
図６に示すように、ケージ側壁部枠体２３には、連結開口部２７の周縁に沿ってペット滞在空間４側に突出する着脱壁部支持用凸部２５が形成されている（連結開口部２７は、例えば金属薄板の深絞りプレス加工により形成できる）。ケージ側係合部は、着脱壁部支持用凸部２５の連結開口部２７の周縁側に位置する側面に開口した係合孔４１であり、着脱壁部側係合部は、壁部本体の周縁から壁面に沿って外向きに延出するとともに、係合孔４１に挿入される係合爪３１とされている。着脱壁部２９に加わる押圧力に対し、係合孔４１がこれとほぼ直交する向きに形成され、ここに係合爪３１が挿入されることで、着脱壁部２９の脱落等がより強固に防止される。
【００１９】
着脱壁部２９は、（係合爪３１とともに）その壁部本体が、プラスチック板などの弾性板材で形成され、人力による撓み変形が可能となっている。そして、係合爪３１と着脱壁部支持用凸部２５及び係合孔４１とは、連結開口部２７の幅方向両側に突出形成されている。図７に示すように、壁部本体の幅方向片側に位置する係合爪３１を対応する側の係合孔４１に挿入し、その後、壁部本体を幅方向に撓み変形させつつ反対側の係合爪３１を、対応する側の係合孔４１に位置決め・挿入することで、着脱壁部２９の装着を容易に行なうことができる。
【００２０】
なお、図８に示すように、着脱壁部２９は、連結開口部２７の周縁部にねじ締結する構成を採用することもできる。ここでは、着脱壁部２９の外周縁部３０を、ペット滞在空間側から連結開口部２７の内周縁部に重ね合わせ、ボルト４９をねじ込んで（ナット止めでもよい）締結している。締結力が十分であれば、ケージ外側から着脱壁部２９を装着してねじ止めする構成でもよい。また、図９に示すように、着脱壁部２９の外周縁部に形成した圧入用凸部５１を、連結開口部２７の周縁部に形成された圧入孔４に圧入する構成を採用することも可能である。
【００２１】
次に、図１３に示すように、ペット滞在空間４内部の空気を吸い出すために、ケージセル３には空気吸出し口１８が形成されている。該空気吸出し口１８には換気用配管２６の第一端が連通し、当該換気用配管２６の第二端に、該換気用配管２６から空気吸出し口１８を経てペット滞在空間４に吸出し方向の換気流を生じさせる換気駆動部２８（ここでは、換気ファンユニットにて構成されている）が設けられている。このようにすることで、ペット滞在空間４内部の空気を清浄に保つことができ、また、ケージセル３内が換気により負圧保持されるので、内部の臭気等が漏れ出しにくい
【００２２】
具体的には、図１２に示すように、空気吸出し口１８は天井部３Ｃに設けられており、他方、図１３に示すように、換気駆動部２８が動作した際にペット滞在空間４の内部にケージ外部空間から空気を吸い込むための吸い込み換気口２１が形成されている。吸い込み換気口２１の形成により、ケージセル３内の気圧が下がりすぎる不具合を防止できる。
【００２３】
図１２に示すように、具体的には、ケージセル３の天井部３Ｃ上面には、空気吸出し口１８の上方を覆う配管ターミナル部１０が取り付けられており、該配管ターミナル部１０に換気用配管２６の第一端側をなす配管セグメント１２が、天井部３Ｃ上面に沿って配置される形で連通結合されている。これにより、換気駆動部２８の吸引力を空気吸出し口１８に集中でき、室内の換気効率を高めることができる。
【００２４】
本実施形態では、図４に示すように、ケージセル３は直方体状に形成され、正面壁部（主扉７）の左右に連なる１対の壁部を側壁部として、それら側壁部の双方が空間連結機能付き壁部とされている。これにより、ケージセル３を、扉７が設けられる正面壁部の側方に所望の数だけ増設することができ、また、側壁部方向に連結可能なペット滞在空間４の個数にも制限がなくなる。さらに、ペット滞在空間４に関して正面壁部と反対側に位置する背面壁部１９に吸い込み換気口２１が形成されており、正面壁部方向にケージセル３が連接されても吸い込み換気口２１が塞がれる惧れがなくなる。
【００２５】
なお、図１５に示すように、ケージセル３は、ペット滞在空間４に関して正面壁部と反対側に位置する背面壁部１９を空間連結機能付き壁部（着脱壁部は符号２９）とすることもできる。このようにすると、背中合せに連接したケージセル３のペット滞在空間４ａ，４ｂ同士を連結して、空間の奥行きを増すことができる。
【００２６】
図１及び図２に示すように、サブユニット１は、上下に積層されたケージセル３の間に、それらケージセル３の上下に対向する床面部３Ｆ及び天井部３Ｃの周縁に沿う形でスペーサフレーム５が配置され、図１２に示すように、配管ターミナル部１０と配管セグメント１２とが該スペーサフレーム５の内側に配置される。配管セグメント１２の配管ターミナル部１０に連通しているのと反対側の端部は、スペーサフレーム５を貫通してケージセル３の壁部外側に突出し、換気用配管２６の残余部分の接続端１７を形成している。図１及び図２において複数積層された上下のケージセル３，３間に、換気用配管２６の設置スペースを有効に創出することができる。図中、符号８は補助フレームであり、配管セグメント１２が貫通配置されている。
【００２７】
本実施形態では、図１及び図２に示すように、最上部のケージセル３の上面にも中間層のケージセルと同様の構造のスペーサフレーム５が設けられ、その上面開口は図４に示すような保護板３３により塞がれている。また、最下層のケージセル３の底面下部にもスペーサフレーム５’が設けられているが、ここには換気用配管の構造部が配置されていない。
【００２８】
また、図１３に示すように、配管セグメント１２は、スペーサフレーム５を背面壁部１９側にて貫通・突出する形で設けられている。これにより、サブユニット１の背面側の空間を、換気用配管２６の設置スペースとして利用でき、また、内部のペットＡＭのディスプレイ側となる正面壁部側に配管が露出しないので、外観も向上する。具体的には、配管セグメント１２の接続端１７に、それぞれ分岐管６Ａが接続され、それら分岐管６Ａが主管６Ｍに接続合流して、換気駆動部２８に至る構造になっている。なお、換気駆動部２８の排気口３０は屋外に開口する。本実施形態では、連接配置されるサブユニット１，１同士が連結部材（ここでは、隣接するサブユニット１，１の保護板３３，３３間にまたがって配置され、保護板３３，３３にねじ止めされる連結板４）により互いに連結されている。ただし、サブユニット１には相当の自重があり、少々の外力ではサブユニット１が位置ずれ等する懸念がない場合、あるいは建物床面にサブユニット１を、ボルト等を用いて固定する場合など、サブユニット１の床面に対するすべり移動が本質的に生じ得ない場合は、連結部材４を省略することもできる。
【００２９】
図１４は、図１３の集合ユニットの使用例を示すもので、最上層のケージセル３は、他のケージセルと連接していない最外部の側壁部を除いて、全ての着脱壁部が取り払われ、３つのペット滞在空間４ａ，４ｂ，４ｃが連結したトリプルスイートルームを形成している。一方、中間のケージセル３は、左側２連接する２つのケージセル３，３の着脱壁部が取り払われて、ダブルスイートルームが形成され、右端のケージセル３は（真中のケージセル３の右側壁部も含めて）着脱壁部２９が装着され、シングルルームのままとなっている。他方、最下層のケージセル３は、全ての着脱壁部２９が装着され、３つのペット滞在空間４ａ，４ｂ，４ｃが全てシングルルームとなっている。
【図面の簡単な説明】
【００３０】
【図１】本発明のペットホテル用集合ケージユニットに使用するサブユニットの一例を示す正面図。
【図２】同じく背面図。
【図３】ケージセルの一例を示す説明図。
【図４】図２のケージセルの斜視図。
【図５】図３のケージセルに設けられたペット落下防護部材の説明図。
【図６】着脱壁部の第一構成例を示す分解斜視図。
【図７】図６の着脱壁部の装着方法を示す説明図。
【図８】着脱壁部の第二構成例を示す分解斜視図。
【図９】着脱壁部の第三構成例を示す分解斜視図。
【図１０】ケージセルの最小の連接配置例を示す正面図。
【図１１】連結開口部の説明図。
【図１２】ケージセルの天井部側の構造を示す説明図。
【図１３】図１のサブユニットを用いたペットホテル用集合ケージユニットの構成例を示す説明図。
【図１４】図１３のペットホテル用集合ケージユニットの使用形態の一例を示す模式図。
【図１５】本発明のペットホテル用集合ケージユニットの変形例を示す模式図。
【符号の説明】
【００３１】
１  サブユニット
３  ケージセル
５  スペーサフレーム
７  主扉
１２  配管セグメント
１５  ペット落下防護部材
１７  接続端
１８  空気吸出し口
１９  背面壁部
２１  吸い込み換気口
２３  ケージ側壁部枠体
２５  着脱壁部支持用凸部
２６  換気用配管
２７  連結開口部
２９  着脱壁部
３１  係合爪（着脱壁部側係合部）
４１  係合孔（ケージ側係合部）
【図１】
2007075025.tif 000003
【図２】
2007075025.tif 000004
【図３】
2007075025.tif 000005
【図４】
2007075025.tif 000006
【図５】
2007075025.tif 000007
【図６】
2007075025.tif 000008
【図７】
2007075025.tif 000009
【図８】
2007075025.tif 000010
【図９】
2007075025.tif 000011
【図１０】
2007075025.tif 000012
【図１１】
2007075025.tif 000013
【図１２】
2007075025.tif 000014
【図１３】
2007075025.tif 000015
【図１４】
2007075025.tif 000016
【図１５】
2007075025.tif 000017